(57)【特許請求の範囲】
【請求項１】
羊舍本体、羊舎内に敷かれた複数のマット、マットを交換するための交換装置、マットを洗うための洗浄装置、洗浄後のマットを通風乾燥ための乾燥装置からなり、
交換装置には、通風性を有する構造のコンベヤー、コンベヤー上に等間隔に設置された、マットを固定するための複数の固定部材、マットをコンベヤーに圧着固定するための複数の加圧ローラー、コンベヤーの片側に設けられた新しいマットを保管するための材料槽、材料槽の下に設けられた使用済みのマットを収集するための取出部からなり、
マットは、帯状で、コンベヤーの上面と下面のそれぞれに複数枚、敷かれており、
取出部は、移動架、移動架上に設置された回転軸、回転軸を駆動するための第1モーター、回転軸を覆うように取り付けられた複数の回転架、回転架上に対称的に設けられた複数の伸縮杆、伸縮杆の先端に取り付けられた挿板からなり、
乾燥装置は、羊舍本体に設けられた風入箱、風入箱に設けられた第１協同板と第２協同板、第１協同板と第２協同板の下に設けられた貯水箱、第１協同板に設けられた複数の風入口、風入口の下端の風ガイド板、第２協同板に斜めに設けられた複数の風出口、風入箱とは反対の端に設けられた風出箱からなり、
風出口は羊舍の中と連通している
ことを特徴とする湖羊舍。 
【請求項２】
洗浄装置は、コンベヤーの下に設けられた洗浄架、洗浄架の中央に設置された主動ローラー、主動ローラーを覆う第１洗浄ブラシ、主動ローラーに並設され、洗浄架に回転可能に設けられた第１従動ローラーと第２従動ローラー、第１従動ローラーを覆う複数の第２洗浄ブラシ、第２従動ローラーを覆う複数の第３洗浄ブラシ、主動ローラーと第１従動ローラーと第２従動ローラー間を連動させるための連動部、洗浄架に配置された第１従動ローラーと第２従動ローラーのそれぞれに設けられた2つの第1散水管、コンベヤーの下に位置し、羊舍本体内に傾斜面を有するように形成された汚物排出槽、汚物排出槽の上方に設けられた第2散水管からなり、
第1散水管とコンベヤーの下面のマットとの角度が15°である
ことを特徴とする請求項１に記載の湖羊舍。
【請求項３】
連動部は主動ローラーの端部に取り付けられた第１プーリー、第１従動ローラーの端部に取り付けられた第２プーリー、第２従動ローラーの端部に取り付けられた第３プーリー、第１プーリーと第２プーリーをつなぐようにかけられた第１ベルト、第１プーリーと第３プーリーをつなぐようにかけられた第２ベルト、主動ローラーの回転を駆動するための第2モーターからなる
ことを特徴とする請求項２に記載の湖羊舍。
【請求項４】
貯水箱は、貯水箱の側面の壁に設置された流水槽、貯水箱の一端に設置された水出口、水出口の上に位置し、貯水箱内に設置された移動板、移動板を貫通し、貯水箱底部に固定に設置された複数のガイド柱、複数のガイド柱の外周に設けられた複数のバネ、水出口に位置し、移動板に設置された固定板からなり、風出箱はＬ字形箱本体、Ｌ字形箱本体に設置された複数の送風機からなる
ことを特徴とする請求項３に記載の湖羊舍。
【発明の詳細な説明】
【技術分野】
【０００１】
本発明は、湖羊を飼育するための湖羊舎である。
【背景技術】
【０００２】
湖羊は、太湖平原の重要な家畜の一種であり、中国の一級保護地元家畜の品種である。
湖羊は、白い皮を有する珍しい品種で、早成性、四季発情、年間２回の出産があり、毎回の出産は複数の子羊が生まれ、良好な泌乳能力を有し、成長と発育は速く、改良後の理想的な肉を生産する性能、高温耐久性などの優れた特性を備える。
【０００３】
湖羊は、中国の太湖地区に分布する。
一年中、羊舍で給餌することができる、中国の羊皮用の綿羊品種である。
湖羊は、乾燥した気候環境と、清潔な生活環境を好む。
【０００４】
湖羊の飼育は、従来は、囲われた羊舍と隙間がある床の設計構造のみが重視されていたが、床下の設計は軽視されてきた。
例えば、床下の高さが低いために、床下は、湿度が高く、暗い。
そのため、羊舍の床下にたまった糞便をすぐに片づけることができないことから、羊舍の床下は、汚れにまみれ、ハエと虫が繁殖する不衛生な環境であった。
その結果、羊舍では、病気や寄生虫病が頻繁に発生し、特に、一部で発生すると、群れの他の羊にも感染するため、子羊の生存率が低下し、生産性が悪くなるという問題も生じていた。
【０００５】
そこで、特許文献１には、液体と固体の排泄物を排出することができる湖羊養殖専用の羊舎が開示されている。
しかし、特許文献１の発明は、マットが設けられていないほか、濡れた湖羊の足を乾燥させる設備がない。
【先行技術文献】
【特許文献】
【０００６】
【特許文献１】CN108522307A公報（出願番号CN201810209042.4）
【発明の概要】
【発明が解決しようとする課題】
【０００７】
そこで、本発明は、前記問題を解決するため、床下の湿気を防ぎ、乾燥した綺麗な湖羊舍を提供することを課題とする。
その技術内容は、次のとおりである。
【課題を解決するための手段】
【０００８】
本発明にかかる湖羊舍は、羊舍本体、羊舎内に敷かれる複数のマット、マットを交換するための交換装置、マットを洗うための洗浄装置、洗浄後のマットを通風乾燥するための乾燥装置からなる。
交換装置には、通風性を有する構造のコンベヤー、コンベヤー上に等間隔に設置された、マットを固定するための複数の固定部材、マットをコンベヤーに圧着固定するための複数の加圧ローラー、コンベヤーの片側に設けられた新しいマットを保管するための材料槽、材料槽の下に設けられた使用済みのマットを収集するための取出部からなる。
【０００９】
マットは、帯状で、コンベヤーの上面と下面のそれぞれに複数枚、敷かれている。
材料槽内の新しいマットは、コンベヤー上に移動して、コンベヤーの上面に敷かれる。
マットは、コンベヤーの上面に敷かれる際、加圧ローラーによって固定部品がマットに差し込まれ、これにより、コンベヤーに固定される。
取出部は、自動的に古いマットを巻き取って、マットを交換する。
コンベヤーの下に設置された洗浄装置は、コンベヤーの上面から下面に移動してくるマットを洗浄する。
【００１０】
乾燥装置は、洗浄後のマットを乾燥させる。
乾燥後のマットは、予備マットとして、使用される機会があるまで保管される。
つまり、コンベヤーの上面に敷かれたマットが洗浄される間に、コンベヤーの下面に敷かれている予備マットがコンベヤーの上面に搬送される。
以上の行程で、洗浄と乾燥が繰り返されることで、湖羊舍の清掃作業が完了する。
【００１１】
本発明のマットは、湖羊の足を保護する同時に、湖羊舍内に湿気が籠るのを防ぐ。
固定部材と加圧ローラーによって、マットは圧着されるようにコンベヤーに迅速に固定されるため、その後のマットの交換は簡単にできる。
また、取出部により、古いマットは自動的に巻き取られ、交換される。
これにより、労働の負担を軽減して、マットの交換がより便利で簡単になり、時間と労力が節約される。
【００１２】
洗浄装置による洗浄は、マットを過度に水に浸すことで起きるマットの腐食を防ぐことができ、マットの寿命が延びることで、マットの交換に伴うコストを削減できる。
乾燥装置による洗浄後のマットの乾燥は、臭気を除去して湿気を防ぎ、湖羊にとって快適な羊舍を提供できる。
【００１３】
取出部は、移動架、移動架上に設置された回転軸、回転軸を駆動するための第1モーター、回転軸を覆うように取り付けられた複数の回転架、回転架上に対称的に設けられた複数の伸縮杆、伸縮杆の先端に取り付けられた挿板からなる。
【００１４】
移動架は、コンベヤーに向かって移動する。
その際、移動架の上方に位置する挿板が、コンベヤーとマットの間に差し込まれる。
回転架上に対称的に設置された複数の伸縮杆がその先端方向に伸びる。
これによって、複数の伸縮杆の先端に取り付けられた複数の挿板が、マットの一端を上下方向から挟む。
第1モーターは、回転軸の回転を駆動して回転架を回転させる。
これにより、回転架が回転して、コンベヤー上のマットを巻き取ることができる。
これで巻き取り作業が完了する。
【００１５】
洗浄装置は、コンベヤーの下に設けられた洗浄架、洗浄架の中央に設けられた主動ローラー、主動ローラーを覆う第１洗浄ブラシ、主動ローラーに並設され、洗浄架に回転可能に設けられた第１従動ローラーと第２従動ローラー、第１従動ローラーを覆う複数の第２洗浄ブラシ、第２従動ローラーを覆う複数の第３洗浄ブラシ、主動ローラーと第１従動ローラーと第２従動ローラー間を連動させるための連動部、洗浄架に配置された第１従動ローラーと第２従動ローラーのそれぞれに設けられた2つの第1散水管、コンベヤーの下に位置し、羊舍本体内に傾斜面を有するように形成された汚物排出槽、汚物排出槽の上方に設けられた第2散水管からなり、第1散水管とコンベヤーの下面のマットとの角度は15°である。
【００１６】
コンベヤーは、マットを運搬する。
第1散水管は、コンベヤーの下面のマットを洗い流すと同時に、連結部が主動ローラーと第１従動ローラーと第2従動ローラーの回転を駆動する。
つまり、第１洗浄ブラシ、第2洗浄ブラシ、第3洗浄ブラシは、コンベヤーの下面のマットを洗う。
洗う時に出てくる汚水と糞便は、汚物排出槽に落ちる。
第2散水管は、汚物排出槽を上方から下方に向かって洗い流す。
【００１７】
本発明は、コンベヤーの下面のマットに対して15°の角度に設けられた2つの第1散水管によって、コンベヤーの下面のマットを洗い流す。
この角度で散水することで、洗浄に影響を与えることなく、マットが過度に水を含むことを防ぐ。
同時に、散水された水は自重でマットから滴り落ちるため、マットが長時間の洗浄によって腐食することを防ぐことができる。
【００１８】
連動部によって、主動ローラーと第１従動ローラーと第2従動ローラーは同じ方向に回転し、つまり、第１洗浄ブラシと第2洗浄ブラシと第3洗浄ブラシは、コンベヤーの進む方向と逆に回転することで、より速く、確実にマットを洗浄できる。
同時に、第1洗浄ブラシ、第2洗浄ブラシ、第3洗浄ブラシも、互いに洗浄される。
2つの第1散水管は、第1従動ローラーと第2従動ローラーの両側に設置される。
そのうちの1つの第1散水管は、洗浄後のマットに散水してマットを再び洗い、洗い残しがないようにする。
【００１９】
連動部は、主動ローラーの端部に取り付けられた第１プーリー、第１従動ローラーの端部に取り付けられた第２プーリー、第２従動ローラーの端部に取り付けられた第３プーリー、第１プーリーと第２プーリーをつなぐようにかけられた第１ベルト、第１プーリーと第３プーリーをつなぐようにかけられた第２ベルト、主動ローラーの回転を駆動するための第2モーターからなる。
【００２０】
第２モーターは、主動ローラーと第1プーリーの回転を駆動する。
第1ベルトは、第1プーリーと第2プーリーをつなぐようにかけられることで、第1従動ローラーの回転を駆動する。
第2ベルトは、第1プーリーと第3プーリーをつなぐようにかけられることで、第２従動ローラーの回転を駆動する。
主動ローラーと第１の従動ローラーと第２の従動ローラーを回転させる。
【００２１】
第２モーターによって、主動ローラーと第1プーリーを回転させる。
第1ベルトは、第1プーリーと第2プーリーをつなぐようにかけられることで、第1従動ローラーを同じ方向に回転させる。
第2ベルトは、第1プーリーと第3プーリーをつなぐようにかけられることで、第２従動ローラーを同じ方向に回転させる。
主動ローラーと第１の従動ローラーと第２の従動ローラーは同じ方向に回転する。
【００２２】
第1プーリーは、第2プーリーと第３プーリーよりも径が大きい。
そのため、第2洗浄ブラシと第3洗浄ブラシの回転速度が第１洗浄ブラシより速く回転し、ブラシ同士を洗浄する。
同時に、糞便がマットから剥がれ落ち、洗浄効果を向上させることができる。
【００２３】
乾燥装置は、羊舍本体に設けられた風入箱、風入箱に設けられた第１協同板と第２協同板、第１協同板と第２協同板の下に設けられた貯水箱、第１協同板に設けられた複数の風入口、風入口の下端の風ガイド板、第２協同板に斜めに設けられた複数の風出口、風入箱とは反対の端に設けられた風出箱からなり、風出口は羊舍の中と連通している。
【００２４】
風は、最初に、第1協同板の複数の風入口から風入箱に入り、次に、第2協同板の風出口から羊舎内のコンベヤーを通過し、マットを乾燥させる。
風出箱には、複数の送風機があることで、羊舎内の風を排気し、羊舎内を風が流れるようにする。
第１協同板が設けられていることで、雨水が風入箱に入ることを防ぐことができる。
第1協同板の上に風入口が設けられていることで、雨水が風入箱に入りにくくなっている。
【００２５】
風は、風入箱に入った後、勢いが弱まるため、雨水が自重によって落ちる。
風入口に設けられた風ガイド板によって、雨水は風ガイド板に遮られ、風入箱から排水される。
雨水の一部は、貯水箱に落ちる。
第２協同板に斜めに設けられた風出口により、雨水は貯水箱に落ちる。
雨の日でも風が通るため、羊舍の中が換気されると同時に、風ガイド板が風を集めて、さらに換気を促す。
【００２６】
貯水箱は、貯水箱の側面の壁に設置された流水槽、貯水箱の一端に設置された水出口、水出口の上に位置し、貯水箱内に設置された移動板、移動板を貫通し、貯水箱底部に固定された複数のガイド柱、複数のガイド柱の外周に設けられた複数のバネ、水出口に位置し、移動板に設置された固定板からなる。
貯水箱内の雨水は、一定の重量に達した後、移動板が下に移動して、貯水口が貯水箱内部と連通した状態になることで、貯水箱から排出される。
【００２７】
貯水箱内の水が少なくなると、バネの弾性力によって移動板が元の位置に戻る（複数のガイド柱の方向に沿って上方に移動する）。
流水槽が設けられていることで、雨水が集められる。
貯水箱内の水位は、風入箱と羊舍の連通部分の高さを越えることはない。
つまり、貯水箱内の水位は、流水槽より高い位置にある。
貯水箱を密閉状態に保ち、貯水箱内を流れる空気の通風効果への影響を避ける。
【００２８】
風出箱は、Ｌ字形箱本体、Ｌ字形箱本体に設置された複数の送風機からなる。
複数の送風機によって、羊舎内を流れる風が羊舎外に排気されやすくなる。
風入箱から入り、羊舎内を流れる風は送風機の回転を増大させ、送風機の電力消費を減らすことができる。
L字型箱本体は、送風機が雨水によって腐食することを防ぎ、風の抵抗を減らし、送風機の回転を安定させる。
【００２９】
固定部材は、コンベヤーに固定された挿杆、挿杆の上端に回転可能に設置されたボールからなる。
回転可能に設置されたボールを通して、挿杆をマットに挿入しやすくなり、巻き取り中にマットを固定部材から簡単に離すことができる。
ボールの外径は、挿杆の直径よりも大きく、固定部材全体はマットをもっと堅固に固定される。
【発明の効果】
【００３０】
マットは、湖羊の足を保護すると同時に、湿気を防ぐ。
コンベヤー上の固定部材と加圧ローラーによって、マットを圧着固定して、マットをコンベヤーに迅速に固定し、マットの交換を簡単にすることができる。
取出部によって古いマットを自動的に交換して巻き取ることで、労働負担を減らし、マットの交換をより簡便に迅速にし、時間と労力を節約できる。
洗浄装置によってマットを洗浄して、水を過剰に使用することでマットが腐食するのを避け、マットの寿命を延ばし、コストを削減できる。
乾燥装置によって洗浄後のマットを乾燥して臭気を除去し、マットの乾燥を促進でき、湖羊にとって住み良い環境の羊舍を提供できる。
【図面の簡単な説明】
【００３１】
【図１】一実施例の外観を示す上方斜視図
【図２】一実施例の断面図
【図３】図２のＡの拡大図
【図４】図２のＢの拡大図
【図５】図２のＣの拡大図
【図６】風入箱の内部構造を示す断面図
【図７】一実施例の内部構造を示す斜視図
【図８】図７のＤの拡大図
【図９】一実施例の断面図
【図１０】図９のＥの拡大図
【発明を実施するための形態】
【００３２】
本発明の実施例を、図を参照して説明する。
以下に説明する実施例は、本発明の一実施例であり、全ての実施例ではない。
本発明の実施例に基づき、当業者が容易に想到できる全ての実施例は、本発明の保護範囲内に属する。
【００３３】
本実施例にかかる湖羊舍は、羊舍本体１、羊舎内に敷かれる複数のマット２、マット２を交換するための交換装置３、マット２を洗うための洗浄装置４、洗浄後のマット２を通風乾燥するための乾燥装置５からなる。
【００３４】
交換装置３には、通風性を有する構造のコンベヤー３１、コンベヤー３１上に等間隔に設置された、マット２を固定するための複数の固定部材３２、マット２とコンベヤー３１を圧着固定するための複数の加圧ローラー３３、コンベヤー３１の片側に設けられた新しいマット２を保管するための材料槽３４、材料槽３４の下に設けられた使用済みのマット２を収集するための取出部３５からなる。
【００３５】
マット２は、帯状で、コンベヤー３１の上面と下面のそれぞれに複数枚、敷かれている。
材料槽３４内の新しいマット２は、コンベヤー３１上に移動して、コンベヤー３１の上面に敷かれる。
マット２は、コンベヤー３１の上面に敷かれる際、加圧ローラー３３によって固定部品３２がマット２に差し込まれ、これにより、コンベヤー３１に固定される。
取出部３５は、自動的に古いマット２を巻き取って、マット２を交換する。
コンベヤー３１の下に設置された洗浄装置４は、コンベヤー３１の上面から下面に移動してくるマット２を洗浄する。
【００３６】
乾燥装置５は、洗浄後のマット２を乾燥させる。
乾燥後のマット２は、予備マット（新しいマット）として、使用される機会があるまで保管される。
つまり、コンベヤー３１の上面に敷かれたマット２が洗浄される間に、コンベヤー３１の下面に敷かれている予備マットがコンベヤー３１の上面に搬送される。
以上の行程で、洗浄と乾燥が繰り返されることで、湖羊舍の清掃作業が完了する。
【００３７】
取出部３５は、移動架３５１、移動架３５１上に設置された回転軸３５２、回転軸３５２を駆動するための第1モーター３５３、回転軸３５２をカバーした複数の回転架３５４、回転架３５４上に対称に設置された複数の伸縮杆３５５、伸縮杆３５５の先端に取り付けられた挿板３５６からなる。
【００３８】
移動架３５１は、コンベヤー３１に向かって移動する。
移動架３５１の上方に位置する挿板３５６が、コンベヤー３１とマット２の間に差し込まれる。
回転架３５４上に対称に設置された複数の伸縮杆３５５が、その先端方向に向かって伸びる。
これによって、複数の伸縮杆３５５の先端に取り付けられた複数の挿板３５６が、マット２の一端を上下方向から挟む。
第1モーター３５３は、回転軸３５２の回転を駆動して回転架３５４を回転させる。
これにより、回転架３５４が回転して、コンベヤー３１上のマット２を巻き取ることができる。
【００３９】
洗浄装置４は、コンベヤー下に設置された洗浄架４１、洗浄架の中央に設置された主動ローラー４２、主動ローラーを覆う第１洗浄ブラシ４３、主動ローラーに並設され、洗浄架に回転可能に設けられた第１従動ローラー４４と第２従動ローラー４５、第１従動ローラーを覆う複数の第２洗浄ブラシ４６、第２従動ローラーを覆う複数の第３洗浄ブラシ４７、主動ローラーと第１従動ローラーと第２従動ローラー間を連動させるための連動部４８、洗浄架に配置された第１従動ローラー44と第２従動ローラー45のそれぞれに設けられた2つの第1散水管４９、コンベヤーの下に位置し、羊舍本体内に傾斜面を有するように形成された汚物排出槽４１０、汚物排出槽の上方に設けられた第2散水管４２０からなる。
【００４０】
コンベヤー３１はマット２を運搬する。
第1散水管は、コンベヤーの下面のマットを洗い流す同時に、連結部が主動ローラーと第１従動ローラーと第2従動ローラーの回転を駆動する。
つまり、第１洗浄ブラシ、第2洗浄ブラシ、第3洗浄ブラシは、コンベヤーの下面のマットを洗う。
洗う時に出てくる汚水と糞便は、汚物排出槽に落ちる。
第2散水管は、汚物排出槽を上から下に洗い流す。
【００４１】
連動部４８は、主動ローラーの端部に取り付けられた第１プーリー４８１、第１従動ローラーの端部に取り付けられた第２プーリー４８２、第２従動ローラーの端部に取り付けられた第３プーリー４８３、第１プーリーと第２プーリーをつなぐようにかけられた第１ベルト４８４、第１プーリーと第３プーリーをつなぐようにかけられた第２ベルト485、主動ローラーの回転を駆動するための第2モーター486からなる。
【００４２】
第2モーターは主動ローラーと第1プーリーの回転を駆動する。
第1ベルトは同時に第1プーリーと第2プーリーをつなぐようにかけられることで、第1従動ローラーの回転を駆動する。
第2ベルトは同時に第1プーリーと第3プーリーをつなぐようにかけられることで、第２従動ローラーの回転を駆動する。
主動ローラーと第１の従動ローラーと第２の従動ローラーを回転させる。
【００４３】
乾燥装置５は、羊舍本体に設けられた風入箱５１、風入箱５１に設けられた第１協同板５２と第２協同板５３、第１協同板と第２協同板の下に設けられた貯水箱５４、第１協同板に設けられた複数の風入口５５、風入口の下端の風ガイド板５６、第２協同板に斜めに設けられた複数の風出口５７、風入箱とは反対の端に設けられた風出箱５８からなる。
風出口は羊舍の中と連通している。
風は、最初に、第1協同板上の複数の風入口から風入箱に入り、次に、第2協同板上の風出口から羊舎内のコンベヤーを通過し、マットを乾燥させる。
風出箱は、複数の送風機があることで、羊舎内の風を排気し、羊舎内を風が流れるようにする。
【００４４】
貯水箱５４は、貯水箱の側面の壁に設置された流水槽５４１、貯水箱の一端に設置された水出口５４２、水出口の上に位置し、貯水箱内に設置された移動板543、移動板を貫通し、貯水箱底部に固定された複数のガイド柱544、複数のガイド柱の外周に設けられた複数のバネ545、水出口に位置し、移動板に設置された固定板５４６からなる。
【００４５】
貯水箱内の雨水は、一定の重量に達した後、移動板を下に移動して、貯水口が貯水箱内部と連通した状態になることで、貯水箱から排出される。
貯水箱内の水が少なくなると、バネの弾性力によって移動板が元の位置に戻る（複数のガイド柱の方向に沿って上方に移動する）。
流水槽が設けられていることで、雨水が集められる。
貯水箱内の水位は、風入箱と羊舍の連通部分の高さを越えることはない。
つまり、貯水箱内の水位は、流水槽より高い位置にある。
貯水箱を密閉状態に保ち、貯水箱内を流れる空気の通風効果への影響を避ける。
【００４６】
風出箱は、Ｌ字形箱本体５８１、Ｌ字形箱本体に設置された複数の送風機５８２からなる。
複数の送風機によって、羊舎内を流れる風が羊舎外に排気されやすくなる。
風入箱から入り、羊舎内を流れる風は送風機の回転を増大させ、送風機の電力消費を減らすことができる。
L字型箱本体は、送風機が雨水によって腐食することを防ぎ、風の抵抗を減らし、送風機の回転を安定させる。
【００４７】
固定部材３２は、コンベヤーに固定された挿杆３２１、挿杆の上端に回転に設置されたボール３２２からなる。
回転可能なボールを通して、挿杆をマットに挿入しやすくなり、巻き取り中にマットを固定部材から簡単に離すことができる。
ボールの外径は、挿杆の直径よりも大きいため、固定部材全体でマットを強く固定する。
第１モーターと第２モーターは公知のものを利用できる。
【要約】      （修正有）【課題】湖羊を飼育するための床下の湿気を防ぎ、乾燥した綺麗な湖羊舍を提供する。【解決手段】湖羊舍は、羊舍本体１、羊舎内に敷かれる複数のマット、マットを交換するための交換装置、マットを洗うための洗浄装置、洗浄後のマットを通風乾燥するための乾燥装置５からなり、交換装置には、通風性を有する構造のコンベヤー、コンベヤー上に等間隔に設置された、マットを固定するための複数の固定部材、マットをコンベヤーに圧着固定するための複数の加圧ローラー、コンベヤーの片側に設けられた新しいマットを保管するための材料槽、材料槽の下に設けられた使用済みのマットを収集するための取出部からなる。【選択図】図１【図１】
0006687961.tif 000002
【図２】
0006687961.tif 000003
【図３】
0006687961.tif 000004
【図４】
0006687961.tif 000005
【図５】
0006687961.tif 000006
【図６】
0006687961.tif 000007
【図７】
0006687961.tif 000008
【図８】
0006687961.tif 000009
【図９】
0006687961.tif 000010
【図１０】
0006687961.tif 000011